(57)【要約】【課題】回転操作部に用いる能動素子への供給電源の待ち受け時の消費電力を削減することができる電子機器を提供することを目的とする。【解決手段】回転自在な回転操作部と、回転操作部の回転を検出する能動素子３１，３２と、当該機器の状態に応じて能動素子３１，３２への電源供給を制御する制御手段４３とを備えるようにする。【選択図】  図７
2004320375.tif 000002
【特許請求の範囲】
【請求項１】
回転自在な回転操作部と、
前記回転操作部の回転を検出する能動素子と、
当該機器の状態に応じて前記能動素子への電源供給を制御する制御手段とを備える
ことを特徴とする電子機器。
【請求項２】
請求項１記載の電子機器において、
前記能動素子として、第１および第２の能動素子で構成し、
前記第１および第２の能動素子にそれぞれ供給される電源を入／切する第１および第２の開閉手段を備え、
前記制御手段は、通常使用時は前記第１および第２の開閉手段を閉とし、通常使用時から一定時間経過後の第１の待ち受け時は前記第１の開閉手段を閉かつ前記第２の開閉手段を開とし、キー操作禁止設定後の第２の待ち受け時は前記第１および第２の開閉手段を開とする
ことを特徴とする電子機器。
【請求項３】
請求項２記載の電子機器において、
前記回転操作部の回転に応じて第１の能動素子より発信されるパルス信号を検出し割り込み信号を生成するパルス検出手段を備え、
前記制御手段は、前記第１の待ち受け時に前記回転操作部が回転操作されたときには前記パルス検出手段からの割り込み信号により前記第２の開閉手段を閉とし、前記キー操作禁止設定が解除されたときには、前記第１の開閉手段または第１かつ第２の開閉手段を閉とする
ことを特徴とする電子機器。
【請求項４】
請求項１記載の電子機器において、
前記能動素子として、第１および第２の能動素子で構成し、
前記第２の能動素子に供給される電源を入／切する開閉手段と、
前記回転操作部の回転操作に応じて前記開閉手段が接続されない第１の能動素子より発信されるパルス信号を検出し割り込み信号を生成するパルス検出手段とを備え、
前記制御手段は、通常使用時は前記開閉手段を閉とし、
待ち受け時は前記開閉手段を開とし、
前記待ち受け時に、前記回転操作部が回転操作されたとき前記パルス検出手段からの割り込み信号により前記開閉手段を閉とする
ことを特徴とする電子機器。
【請求項５】
第１の筐体と第２の筐体とを開閉可能に接続して構成される電子機器において、
回転自在な回転操作部と、
前記回転操作部の回転を検出する能動素子と、
前記筐体を閉じたとき前記能動素子への電源の供給を断ち、前記筐体を開いたとき前記能動素子へ電源を供給する制御手段とを備える
ことを特徴とする電子機器。
【発明の詳細な説明】
【０００１】
【発明の属する技術分野】
本発明は、例えば回転操作手段を搭載する携帯電話機、ＰＤＡ（携帯情報端末）等に適用して好適な電子機器に関する。
【０００２】
【従来の技術】
従来、携帯電話機等の電子機器に搭載可能な回転操作手段として、ジョグダイアルと称されるものが開発されている。このジョグダイアルの回転検出機構は、回転盤およびこれとほぼ平行に積層された固定盤とからロータリーエンコーダを構成し、例えば、回転盤に配置された１組の対向電極と固定盤の各電極の位置を円周方向にわずかにずらして配置した数組の対向電極とを摺接させ、回転盤を回転させたときに、回転方向に応じて位相差をもったパルス信号を得て回転を検出する（例えば、引用文献１参照。）。
【０００３】
図１２に、ジョグダイアルの回転を検出するのに引用文献１に示すような対向電極等のいわゆる受動素子を用いた場合の概略回路構成を示す。この例では、一定の回転角度毎に回転盤の位置が定まるクリック安定点を有する機構としてある。受動素子（Ａ）２３１は対向電極の一方の電極対を表し、プルアップ抵抗として機能する抵抗器２４４を介して電源が供給される。受動素子（Ｂ）２３２は対向電極の他方の電極対を表し、プルアップ抵抗として機能する抵抗器２４５を介して電源が供給される。そして、ジョグダイアルの回転に応じて受動素子（Ａ）２３１および受動素子（Ｂ）２３２から回転検出手段２４１に対しパルス信号を供給し、回転検出手段２４１はパルス信号を受けて図示しない制御手段に対し回転数情報および回転方向情報を供給し、各種の制御が行われる。
【０００４】
図１３、図１４にジョグダイアルを操作したときに受動素子（Ａ）２３１および受動素子（Ｂ）２３２が生成するパルス信号の例を示す。図１３は、ジョグダイアルを時計方向に回転させた場合であり、例えば受動素子（Ａ）が接続されているＡ相の波形が先に立下がり、その後受動素子（Ｂ）が接続されたＢ相の波形が立ち下がる波形が検出される。図１４は、ジョグダイアルを反時計方向に回転させた場合であり、例えば受動素子（Ｂ）が接続されているＢ相の波形が先に立下がり、その後受動素子（Ａ）が接続されたＡ相の波形が立ち下がる波形が検出される。
【０００５】
図１５は従来の通常使用モード／待ち受けモード時の状態遷移と消費電力の関係を表している。通常使用モードとは、ＬＣＤ（液晶表示装置）のバックライトが点灯し、ジョグダイアルの回転に応じてメニュー表示上のカーソル等が移動する状態である。例えば携帯電話機では電源を入れてすぐには、この通常使用モードになる。また、待ち受けモードとは、通常使用モードの状態でしばらく何も操作を行わないで放置しておくと、ＬＣＤのバックライトが消灯して、電池の消耗を抑えようとする状態である。
【０００６】
ジョグダイアルに受動素子を用いた場合、回転盤と固定盤の対向電極が摺接するクリック安定点では、Ａ相およびＢ相ともにハイレベルであるために、プルアップ抵抗２４４および２４５には電流が流れず、待ち受け時の消費電力はほとんどなく気にする必要がなかった。このため、待ち受け時にも常にこの２本のパルスを観測する構成となっていて、回転盤の回転を検出することにより通常動作モードへ移行するが、特にジョグダイアルの検出動作を待ち受けモードと通常使用モードとで分ける必要はなかった。
【０００７】
しかし、電極を摺接させる等の接触式の受動素子は、チャタリングや耐久性などの問題があるため、ジョグダイアルの回転を検出するのに、ホール素子など非接触式の能動素子を使用しているものがある（例えば、引用文献２参照。）。この引用文献２に記載のものは、回転検出機能および押下検出機能を有する回転操作部（ジョグダイアル）を搭載した情報入力装置において、所定時間以上回転操作部が操作されないときはコントロール信号送出回路を停止して非動作状態とし、また非動作状態時に回転操作部が回転または押下操作されたことを検出すると、コントロール信号送出回路を動作状態として、必要なときだけ電力を供給して電池の消耗を防ぐようにしている。
【０００８】
【特許文献１】
特開平８−７９３６０号公報
【特許文献２】
特開平１１−３３１９６０号公報
【０００９】
【発明が解決しようとする課題】
しかしながら、能動素子を用いたジョグダイアルの場合、素子に電源を供給してジョグダイアルの回転検出を行うので、ジョグダイアルを操作しない待ち受け時にも各能動素子に電源が供給されており、無駄に電力を消費してしまうという不都合が生じていた。
【００１０】
斯かる点に鑑み、本発明は、回転操作部に用いる能動素子への供給電源の待ち受け時の消費電力を削減することができる電子機器を提供するものである。
【００１１】
【課題を解決するための手段】
本発明電子機器は、回転自在な回転操作部と、回転操作部の回転を検出する能動素子と、当該機器の状態に応じて能動素子への電源供給を制御する制御手段とを備えるものである。
【００１２】
斯かる本発明によれば、機器の状態に応じて能動素子への電源供給を制御できるので、無駄な消費電力を削減することができる。
【００１３】
また、本発明電子機器は、折畳み可能な筐体から構成され、回転自在な回転操作部と、回転操作部の回転を検出する能動素子と、この筐体を閉じたとき能動素子への電源の供給を断ち、この筐体を開いたとき前記能動素子へ電源を供給する制御手段とを備えるものである。
【００１４】
斯かる本発明によれば、機器筐体の開閉に応じて能動素子への電源供給を制御できるので、無駄な消費電力を削減することができる。
【００１５】
【発明の実施の形態】
以下、図１〜図９を参照して、本発明電子機器の一実施の形態の例につき、携帯電話機に適用した場合について説明する。本例においては、いわゆる筐体を折畳むことができる折畳み型携帯電話機に適用した例としてあり、図１に本例の折畳み型携帯電話機の下側筐体と上側筐体が全開状態の外観斜視図を示す。
【００１６】
図１において、１は下側筐体、１１は上側筐体であり、この下側筐体１と上側筐体１１はヒンジ部１０により開閉自在に接続され、この下側筐体１の内側（閉じた状態のとき上側筐体１１と対向する面）には、電源ボタンやキーロックボタン等が設けられている操作ボタン群２、回転検出機能および垂直押圧検出機能を併せ持ついわゆるジョグダイアル２３、マイクロホン４が設けられている。尚、ジョグダイアル２３は回転検出機構を備えていればよく、例えば回転軸と垂直方向に押圧操作して下側筐体１の側面部に設けられる構造のものでもよい。
【００１７】
上側筐体１１の内側には、この折畳み型携帯電話機を開いた状態において使用される例えばＬＣＤ（Ｌｉｑｕｉｄ  Ｃｒｙｓｔａｌ  Ｄｉｓｐｌａｙ）からなる表示装置１２、スピーカ１３が設けられている。さらに、ヒンジ部１０の中間部にＣＣＤ（Ｃｈａｒｇｅ  Ｃｏｕｐｌｅｄ  Ｄｅｖｉｃｅ）型  やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型等の撮像素子を格納し下側筐体１および上側筐体１１の開閉動作と独立して回動可能なカメラ２０が設けられている。２１はカメラ２０のレンズである。
【００１８】
図２は図１例の折畳み型携帯電話機の下側筐体と上側筐体が半開状態の外観斜視図を示すものである。図示しないが無線信号を送信および受信するためのアンテナを備える。
【００１９】
図３は、本例の携帯電話機の回路構成の例を示すブロック線図である。
【００２０】
１１０はシステム全体の制御を行う制御部、１０７は各種情報を格納したり制御部１１０が制御を行うのに必要な作業領域を提供する汎用ＲＡＭ（Ｒａｎｄｏｍ  Ａｃｃｅｓｓ  Ｍｅｍｏｒｙ）、１０８は各種制御プログラム等を格納したＲＯＭ（Ｒｅａｄ  Ｏｎｌｙ  Ｍｅｍｏｒｙ）である。この制御部１１０は、演算・制御用のＣＰＵ（Ｃｅｎｔｒａｌ  Ｐｒｏｃｅｓｓｉｎｇ  Ｕｎｉｔ）１１１を備え、図示しないシステムバスを通じてＲＡＭ１０７、ＲＯＭ１０８および各種周辺デバイスと接続するための外部インターフェース１１２と接続されており、例えば操作部２またはジョグダイアル２３を操作すると、その操作出力が外部インターフェース１１２およびシステムバスを介してＣＰＵ１１１に供給され、ＣＰＵ１１１によりＲＯＭ１０８のプログラムにしたがって所定の処理が行われる。
【００２１】
１０１は無線信号を送信および受信するアンテナであり受信信号および送信信号を１つのアンテナで共用するアンテナ共用器１０２と接続され、制御部１１０からの送信信号は変調器１０３、アンテナ共用器１０２を介してアンテナ１０１より送信され、アンテナ１０１より受信した受信信号はアンテナ共用器１０２、復調器１０４を介して制御部１１０に供給される。
【００２２】
基地局から電話の呼び出しや電子メールをアンテナ１０１を介して復調器１０４にて受信すると、受信信号が制御部１１０に供給され、制御部１１０はスピーカ１３からの音声で電話の呼び出しや電子メールの受信を利用者に知らせたり、操作ボタン群２の背面に設けられたＬＥＤ１０５による点滅表示により知らせたり、またバイブレータ１０６によって体感振動で知らせるようにしている。またこのとき、制御部１１０は図示しないディスプレイコントローラを介して表示装置１２の画面上に相手の電話番号や電子メール送信者のアドレスを表示するようにしている。
【００２３】
呼び出しに応じて利用者が電話に出ると、相手の音声信号がアンテナ１０１を介して復調器１０４にて受信され、制御部１１０を介してスピーカ１３に供給され、また、マイクロホン４からの自分の音声信号が制御部１１０より変調器１０３を介してアンテナ１０１に供給されて基地局へ送信される。こうして相手との通話が行われる。また、受信した電子メールを開封するとメールの内容を表示装置１２の画面上に表示する。
【００２４】
カメラ２０はレンズ２１を通して所望の画角設定で被写体の映像を取り込み、取り込まれた映像は制御部１１０を介して表示装置１２に表示され、そして表示された映像を操作ボタン群２などに設けられたシャッターボタンを押して所望の静止画や動画を図示しない内部の不揮発性のメモリまたはリムーバブルな記録媒体等に保存することができる。
【００２５】
バックライト１４は、操作部２，２３の操作状況や機器筐体の開閉状態等に応じて、ＣＰＵ１１１により点灯または消灯が制御される。
【００２６】
図４は本例のジョグダイアルの回転検出機構を説明するための概略図である。この例では押圧検出機構についての記載は省略している。２３ａは利用者の回転操作に応じて回転する回転盤（回転体）、破線２４はこの回転盤２３ａの例えば裏面に一周を１２等分した位置に配置された磁石の位置（または磁石）を表すものである。２３ｂは電子機器筐体等の固定盤を示し、３１および３２はホール素子等からなり回転盤の回転を検出する能動素子である。以下、この例では３１をホール素子（Ａ）、３２をホール素子（Ｂ）とする。尚、非接触式の能動素子としてはＬＥＤ（Ｌｉｇｈｔ  Ｅｍｉｔｔｉｎｇ  Ｄｉｏｄｅ）と光検出器の組み合わせから構成されるものなどが考えられる
【００２７】
この例のジョグダイアル２３の回転検出機構は、回転盤２３ａおよびこれと積層された固定盤２３ｂからなるロータリーエンコーダを構成して、固定盤の対向する能動素子（Ａ）３１および能動素子（Ｂ）３２の位置を円周方向にずらして配置されている。このような構成において、回転盤２３ａを回転させると、回転盤裏面に配置された磁石が回転され、回転方向に応じて各能動素子より、例えば図５または図６に示すような、位相差をもったパルス信号を得る。このときの能動素子３１および３２の検出位相差、および検出順序を監視することによって、回転数および回転方向の情報を得ることができ、この情報が携帯電話機本体の制御部１１０へと供給され、画面に表示されたカーソル等を操作に応じて移動させるなどの所定の制御を行うことができる。
【００２８】
図５および図６に、本例のジョグダイアル２３を回転操作したときに各能動素子で発生するパルス信号の例を示す。この例では能動素子（Ａ）が接続された系統をＡ相、能動素子（Ｂ）が接続された系統をＢ相と称している。
【００２９】
図５は、ジョグダイアル２３を時計方向に回転したときの波形の例を示し、受動素子（Ａ）および能動素子（Ｂ）から、回転方向に応じて位相差を持ったパルスが発生し、回転盤２３ａの任意の磁石に対し能動素子（Ａ）が先に近接するため、Ａ相の波形が先に立ち下がった後、Ｂ相の波形が立ち下がる様子を表している。図６は、ジョグダイアル２３を反時計方向に回転したときの波形の例を示し、回転盤２３ａの任意の磁石に対し能動素子（Ｂ）が先に近接するため、Ｂ相の波形が先に立ち下がった後、Ｂ相の波形が立ち下がる様子を表している。
【００３０】
図中、矢印はジョグダイアル２３のクリック安定点を示し、ジョグダイアル２３のクリック点とクリック点の中間位置であって、何も操作がなされないときにジョグダイアル２３が勝手に回転しないよう本例では磁気的な作用により安定的に位置が定まるようにしてある。この例では、ジョグダイアル２３がクリック安定点にあるときは、Ａ相およびＢ相の波形がハイレベル状態となり、クリック点上にあるときはＡ相およびＢ相の波形がローレベル状態となるように能動素子（Ａ）３１および能動素子（Ｂ）３２を構成している。
【００３１】
図７に、本例の能動素子を用いた回路構成の一例を示す。図中、４４および４５はそれぞれ能動素子（Ａ）３１および能動素子（Ｂ）３２への供給電源を後述する制御手段の命令により入り切りする開閉手段（以下、スイッチと称する。）を示し、４１は回転盤２３ａが回転したことを検出して能動素子（Ａ）３１および能動素子（Ｂ）３２が発生するパルス信号を受けてジョグダイアル２３の回転数および回転方向の情報を制御手段に供給する回転検出手段、４２は能動素子からのパルス信号を検出して制御手段に割り込み信号（以下、Ｗａｋｅ割り込み信号とも称する。）を供給するパルス検出手段、４３は回転検出手段４１からの回転数および回転方向の情報を得て、表示装置１２の画面上に表示されたカーソル等を利用者の所望の操作に応じて移動させ、またパルス検出手段４２から供給される割り込み信号を受信して、スイッチ４５および４４の開閉を制御する制御手段である。尚、制御手段４３は、図３の制御部１１０としてもよい。
【００３２】
尚、能動素子としてＬＥＤと光検出器の組み合わせを用いている場合には、開閉手段として、供給電源の制御をするものではないが、例えばピンホールを利用してＬＥＤから光検出器に入光する光を遮断したり通したりして、能動素子から発生するパルス信号を制御するようにすることが考えられる。
【００３３】
スイッチ４５および４４を介して能動素子（Ａ）３１および能動素子（Ｂ）３２に電源が供給されるように接続されて、能動素子（Ａ）３１および能動素子（Ｂ）３２からジョグダイアル２３の回転操作に応じたパルス信号を回転検出手段４１に供給し、このパルス信号により回転検出手段４１から回転数および回転方向の情報を制御手段４３に供給するようにする。
【００３４】
また、能動素子の一方、例えば能動素子（Ａ）よりのパルス信号をパルス検出手段４２に供給し、このパルス検出手段４２より制御手段４３に対して割り込み信号を供給して、制御手段４３はこの割り込み信号によってスイッチ４４および４５の開閉を制御し各能動素子に対する電源供給を制御する。さらに、この制御手段４３は、図示していないが機器筺体の開閉状態やキーロック設定等を判断してスイッチ４５および４４の開閉を制御することができる。
【００３５】
このような構成において、スイッチ４４および４５を介して能動素子（Ａ）３１および能動素子（Ｂ）３２に対しそれぞれ電源が供給された状態で、ジョグダイアル２３が回転操作されると、能動素子（Ａ）３１および能動素子（Ｂ）３２より回転に応じたパルス信号が発生し回転検出手段４１に供給され、回転検出手段４１より回転数および回転方向の情報が制御手段４３に供給されて、表示装置１２の画面上に表示されたカーソル等を移動させることができる。
【００３６】
また、片方の能動素子例えばスイッチ４４を閉として能動素子（Ａ）３１にのみ電源を供給した場合に、ジョグダイアル２３が回転操作されたときには、能動素子（Ａ）３１よりのパルス信号を受けてパルス検出手段４２より制御手段４３に対し割り込み信号を送信してスイッチ４５を閉として、能動素子（Ｂ）３２に対しても電源を供給して、ジョグダイアル２３を操作できるようにする。
【００３７】
図８は、通常使用モード／待ち受けモード時の状態遷移と消費電力の関係を示すものである。待ち受け時は、例えば、スイッチ４４を閉として能動素子（Ａ）にのみ電源を供給しており、ジョグダイアル２３を回転させると能動素子（Ａ）のみがパルス信号（丸囲い部）を発生する（図８Ａ）。このとき能動素子（Ｂ）には電源が供給されていないのでパルス信号は発生しない（図８Ｂ）。能動素子（Ａ）のパルス信号を受けてパルス検出手段４２より割り込み信号（丸囲い部）が生成されて（図８Ｃ）、制御手段４３に送信される。そして、能動素子（Ｂ）にも電源が供給され（図８Ｅ）、通常使用モードとなって自由にジョグダイアル２３の回転操作を行うことができるようになる。
【００３８】
この間、能動素子（Ａ）には終始電源が供給されており（図８Ｄ）、ジョグダイアル２３の能動素子全体の消費電力としては能動素子（Ａ）および能動素子（Ｂ）の消費電力を加算して図８Ｆとなり、待ち受けモード時の消費電力は通常モード時の半分に削減することができる。
【００３９】
図９は、本例の折畳み型携帯電話機の様々な状態での能動素子への電源供給を示す状態遷移図である。５１は電源ボタンが押され開閉手段４４，４５上流の電源がオフの状態、５２は通常使用モードを示しＡ相およびＢ相の各能動素子３１および３２の電源オン状態であり、ジョグダイアル２３が自由に使用可能である。５３はＡ相の能動素子（Ａ）３１のみ電源オンとした待ち受けモードＡの状態であり、ジョグダイアル操作による起動が期待される待ち受け状態である。５４はＡ相およびＢ相の能動素子（Ａ）３１および能動素子（Ｂ）３２ともに電源オフとした待ち受けモードＢの状態であり、ジョグダイアル操作による起動が期待されない待ち受け状態である。このときは、キーロック設定操作または携帯電話機筐体が閉じている状態となる。
【００４０】
まず、携帯電話機が電源オフ５１のときに、電源ボタンを長押しすると電源がオンするとともにスイッチ４４，４５を閉として能動素子（Ａ）３１および能動素子（Ｂ）３２に電源を供給して通常使用モード５２になる。
【００４１】
次いで、通常使用モード５２の状態から一定時間経過後、液晶バックライト１４がオフし、スイッチ４５を開として能動素子（Ａ）３１のみに電源を供給して待ち受けモードＡ５３へ移行する。そして、キー操作やジョグダイアルの操作などがあると、スイッチ４５を閉じ通常使用モード５２へ復帰する。
【００４２】
待ち受けモードＡ５３の状態から携帯電話機を折り畳むまたはキーロック設定操作を行うと、スイッチ４４，４５ともに開として能動素子（Ａ）３１および能動素子（Ｂ）３２の電源供給を停止して待ち受けモードＢ５４へ移行する。このとき、キー操作およびジョグダイアル操作は不可または禁止状態となり、また液晶バックライト１４が消灯する。そして、携帯電話機筐体が開いていて、液晶バックライト１４が消灯している状態でキーロック解除操作すると、待ち受けモードＡ５３に復帰する。
【００４３】
さらに、通常使用モード５２の状態から携帯電話機を折り畳むまたはキーロック設定操作を行うと、スイッチ４４，４５ともに開として能動素子（Ａ）３１および能動素子（Ｂ）３２の電源供給を停止して待ち受けモードＢ５４へ移行する。このとき、キー操作およびジョグダイアル操作は不可または禁止状態となる。また、キーロック設定操作を行うと、一定時間経過後液晶バックライト１４が消灯する。そして、待ち受けモードＢ５４の状態でキーロック設定されていない場合は、携帯電話機を開くと通常使用モード５２に復帰する。また、携帯電話機が開いていて、液晶バックライト１４が点灯しキーロック設定されている場合、キーロック解除操作することで、通常使用モード５２に復帰する。
【００４４】
そして、通常使用モード５２、待ち受けモードＡ５３および待ち受けモードＢ５４の状態から電源ボタンを長押しすると、電源オフ５１の状態に戻る。
【００４５】
このように本例は、待ち受けモード時に一部の能動素子のみに電源を供給して、消費電力を削減することができる。さらに、待ち受けモードの形態に合わせて、必要な能動素子のみに電源を供給して、無駄な消費電力を削減することができる。
【００４６】
図１０を参照して、本発明の他の実施の形態の例につき説明する。この図１０は、図７のスイッチ４４を削除して電源ラインと能動素子（Ａ）３１と間を開閉手段であるスイッチを介さず直接結線したものである。したがって、能動素子（Ａ）３１には携帯電話機の電源がオフとならない限り常時電源が供給され、また、制御手段４３はスイッチ４５のみ開閉制御を行えばよい。その他は図７と同様の構成としてあり、対応する部分には同一符号を付す。
【００４７】
この図１０においても、図７例と同様に、図８に示す通常使用モード／待ち受けモード時の状態遷移と消費電力の関係が成立し、待ち受けモード時の消費電力を通常使用モード時の半分に削減することができる。
【００４８】
図１１を参照して、本発明のさらに他の実施の形態の例につき説明する。図１１は、ノート型ＰＣ（Ｐｅｒｓｏｎａｌ  Ｃｏｍｐｕｔｅｒ）やＰＤＡなどの電子機器の様々な状態での能動素子への電源供給を示す状態遷移図である。
【００４９】
図１１は、図７の能動素子を用いた回路構成を、折畳み型携帯電話機ではなく、ノート型ＰＣやＰＤＡ等の電子機器に適用し、様々な状態での能動素子への電源供給を示す状態遷移図である。本例のノート型ＰＣやＰＤＡ等の電子機器はディスプレイパネルを備え、無操作状態で一定時間経過後、バックライトが消灯するものである。
【００５０】
６１は電源ボタンが押され開閉手段４４，４５上流の電源がオフの状態、６２は通常使用モードを示しＡ相およびＢ相の各能動素子３１および３２の電源オン状態であり、ジョグダイアル２３が自由に使用可能である。６３はＡ相の能動素子（Ａ）３１のみ電源オンとした待ち受けモードＡの状態であり、ジョグダイアル操作による起動が期待される待ち受け状態である。６４はＡ相およびＢ相の能動素子（Ａ）３１および能動素子（Ｂ）３２ともに電源オフとした待ち受けモードＢの状態であり、ジョグダイアル操作による起動が期待されない待ち受け状態である。このときは、キーロック設定操作またはディスプレイが閉または低電力消費用のスタンバイモードの状態となる。
【００５１】
まず、これら電子機器が電源オフ６１のときに、電源ボタンを長押しすると電源がオンするとともにスイッチ４４，４５を閉として能動素子（Ａ）３１および能動素子（Ｂ）３２に電源を供給して通常使用モード６２になる。
【００５２】
次いで、通常使用モード６２の状態から一定時間経過後、図示しないスクリーンセーバー起動または液晶バックライト１４がオフし、スイッチ４５を開として能動素子（Ａ）３１のみに電源を供給して待ち受けモードＡ６３へ移行する。そして、キー操作やジョグダイアルの操作などがあると、スイッチ４５を閉じ通常使用モード６２へ復帰する。
【００５３】
待ち受けモードＡ６３の状態から、ディスプレイパネルを閉じるまたはキーロック設定操作を行うと、スイッチ４４，４５ともに開として能動素子（Ａ）３１および能動素子（Ｂ）３２の電源供給を停止して待ち受けモードＢ６４へ移行する。このとき、キー操作およびジョグダイアル操作は不可または禁止状態となり、また液晶バックライト１４が消灯する。さらに、一定時間経過後、スタンバイモードへ移行する。そして、スタンバイモードでない場合、ディスプレイパネルが開いていル状態でかつキーロック解除操作すると、待ち受けモードＡ６３に復帰する。
【００５４】
さらに、通常使用モード６２の状態から、ディスプレイパネルを閉じる、またはキーロック設定操作、または特定のキー／マウスによるスタンバイモードへの移行操作を行うと、スイッチ４４，４５ともに開として能動素子（Ａ）３１および能動素子（Ｂ）３２の電源供給を停止して待ち受けモードＢ６４へ移行する。このとき、キー操作およびジョグダイアル操作は不可または禁止状態となる。
【００５５】
また、待ち受けモードＢ６４の状態において、ディスプレイパネルを開ける、またはキーロックが解除されていれば電源ボタンの長押しでスタンバイモードを解除する。あるいは、ディスプレイパネルが開いていて、スタンバイモードでない場合には、キーロック解除操作で通常使用モード６２に復帰する。
【００５６】
そして、通常使用モード６２、待ち受けモードＡ６３および待ち受けモードＢ６４の状態から電源ボタンを長押しすると、電源オフ６１の状態に戻る。
【００５７】
このように本例によれば、待ち受けモード時に一部の能動素子のみに電源を供給して、消費電力を削減することができる。さらに、待ち受けモードの形態に合わせて、必要な能動素子のみに電源を供給して、無駄な消費電力を削減することができる。
【００５８】
尚、本発明は実施の形態の例として一方向の回転検出機構を備えるジョグダイアルについて述べたが、例えば、トラックボールと称される全方向に回転することができる操作手段の場合、１対でなく、２対の能動素子を用いて本発明を適用し当該能動素子への電源供給を制御することができる。
【００５９】
また、本発明は上述した実施の形態の例に限られるものではなく、本発明の要旨を逸脱することなくその他種々の構成を取り得ることは勿論である。
【００６０】
【発明の効果】
斯かる本発明によれば、機器の状態に応じて能動素子への電源供給を制御できるので、無駄な消費電力を削減することができる。
【００６１】
また、本発明によれば、機器筐体の開閉に応じて能動素子への電源供給を制御できるので、無駄な消費電力を削減することができる。
【図面の簡単な説明】
【図１】本発明の一実施の形態の例の折畳み型携帯電話機の全開状態の外観斜視図である。
【図２】図１の折畳み型携帯電話機の半開状態の外観斜視図である。
【図３】本発明の一実施の形態の例の携帯電話機の回路構成の例を示すブロック線図である。
【図４】本発明の一実施の形態の例の回転操作部および能動素子の説明に供する線図である。
【図５】本発明の一実施の形態の例の回転操作により能動素子が生成するパルス波形の一例である。
【図６】本発明の一実施の形態の例の回転操作により能動素子が生成するパルス波形の一例である。
【図７】本発明の一実施の形態の例の能動素子を用いた回路構成図である。
【図８】本発明の一実施の形態の例の各モード時の状態遷移と消費電力の関係を示す線図である。
【図９】本発明の一実施の形態の例の折畳み型携帯電話機の状態遷移図である。
【図１０】本発明の他の実施の形態の例の能動素子を用いた回路構成図である。
【図１１】本発明のさらに他の実施の形態の例の電子機器の状態遷移図である。
【図１２】従来例の受動素子を用いた回路構成図である。
【図１３】回転操作により能動素子が生成するパルス波形の一例である。
【図１４】回転操作により能動素子が生成するパルス波形の一例である。
【図１５】従来例の各モード時の状態遷移と消費電力の関係を示す線図である。
【符号の説明】
２…操作部群、１２…表示装置（ＬＣＤ）、１４…バックライト、２３…ジョグダイアル、２３ａ…回転盤（回転体）、２３ｂ…固定盤、２４…磁石、３１，３２…能動素子、４１…回転検出手段、４２…制御手段、４３…パルス検出手段、４４，４５…開閉手段
【図１】
2004320375.tif 000003
【図２】
2004320375.tif 000004
【図３】
2004320375.tif 000005
【図４】
2004320375.tif 000006
【図５】
2004320375.tif 000007
【図６】
2004320375.tif 000008
【図７】
2004320375.tif 000009
【図８】
2004320375.tif 000010
【図９】
2004320375.tif 000011
【図１０】
2004320375.tif 000012
【図１１】
2004320375.tif 000013
【図１２】
2004320375.tif 000014
【図１３】
2004320375.tif 000015
【図１４】
2004320375.tif 000016
【図１５】
2004320375.tif 000017